【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
第２のフランジ状のリム及び前記第２のフランジ状のリムに取り付けられた第２の出口面を有する第２の本体を有する、第２の交換可能なカプセルと、
ある量の消費に適した飲料を調製するための装置であって、前記第２の交換可能なカプセルを保持するための空洞を有する第１の淹出チャンバ部分、及び前記第２の交換可能なカプセルの周囲で前記第１の淹出チャンバ部分を閉じるための第２の淹出チャンバ部分を含む、装置と、を含み、
前記第１の淹出チャンバ部分は前記空洞内に第１の実質的に環状の当接面を有する、ある量の消費に適した飲料を調製するためのシステムであって、
前記第１の淹出チャンバ部分は第２の実質的に環状の当接面を更に有し、
前記第２の環状の当接面の直径は前記第１の環状の当接面の直径よりも大きいことと、
前記第２の当接面は、前記空洞が前記第２の交換可能なカプセルを保持しているときに、前記第２のフランジ状のリムに対して当接するように構成されていることと、を特徴とする、システム。
【請求項２】
第１のフランジ状のリムを有する第１の本体及び前記フランジ状のリムに取り付けられた第１の出口面を有する第１の交換可能なカプセルを更に含み、前記装置の前記第１の淹出チャンバ部分の前記空洞は前記第１の交換可能なカプセル及び前記第２の交換可能なカプセルの一方を選択的に保持するように構成されており、前記第２の淹出チャンバ部分は前記第１の交換可能なカプセル又は前記第２の交換可能なカプセルの周囲で前記第１の淹出チャンバ部分を閉じるように構成されており、前記第１の当接面は前記空洞が前記第１の交換可能なカプセルを保持しているときに前記第１のフランジ状のリムに対して当接するように構成されており、前記第２のフランジ状のリムは前記第１のフランジ状のリムよりも大きい直径を有する、請求項１に記載のシステム。
【請求項３】
前記第１の実質的に環状の当接面は、前記第１の淹出チャンバ部分の軸方向に、前記第２の実質的に環状の当接面から間隔を空けて配置されている、請求項１又は２に記載のシステム。
【請求項４】
前記第２のカプセルの軸方向の長さは、前記第１のカプセルの軸方向の長さよりも長い、請求項２又は請求項２に従属するときの請求項３に記載のシステム。
【請求項５】
前記第２の実質的に環状の当接面は、前記空洞の開放端に配置されている、請求項１から４のいずれか一項に記載のシステム。
【請求項６】
前記第１の実質的に環状の当接面と前記第２の実質的に環状の当接面は、互いに対して不動である、請求項１から５のいずれか一項に記載のシステム。
【請求項７】
前記第２の淹出チャンバ部分は、前記第２の出口面又は任意選択的に前記第１の出口面に対して当接する抽出プレートを有する、請求項１から６のいずれか一項に記載のシステム。
【請求項８】
前記抽出プレートは中央部分と周辺部分とを含み、前記中央部分は前記周辺部分に対して軸方向に移動可能である、請求項７に記載のシステム。
【請求項９】
前記周辺部分は、前記空洞が淹出中に前記第２のカプセルを保持しているときに、前記第２の出口面に対して当接するように構成されている、請求項８に記載のシステム。
【請求項１０】
前記周辺部分は、前記空洞が淹出中に前記第１のカプセルを保持しているときに、前記第１の淹出チャンバ部分に対して当接するように構成されている、請求項２に従属するときの請求項８又９に記載のシステム。
【請求項１１】
前記中央部分は、前記空洞が淹出中に前記第２のカプセルを保持しているときに、前記第２の出口面に対して当接するように構成されている、請求項８、９、又は１０に記載のシステム。
【請求項１２】
前記中央部分は、前記空洞が淹出中に前記第１のカプセルを保持しているときに、前記第１の出口面に対して当接するように構成されている、請求項２に従属するときの請求項８から１１のいずれか一項に記載のシステム。
【請求項１３】
前記第１の淹出チャンバ部分及び／又は前記第２の淹出チャンバ部分は、前記第２のフランジ状のリム又は任意選択的に前記第１のフランジ状のリムに対して封止を行うように構成されている、請求項１から１２のいずれか一項に記載のシステム。
【請求項１４】
前記第１の淹出チャンバ部分に液体を供給するための液体供給システムを備えており、前記第１の淹出チャンバ部分と前記第２のカプセルとの間の隙間に、又は任意選択的に前記第１の淹出チャンバ部分と前記第１のカプセルとの間の隙間に、液体が入り込むことができる、請求項１３に記載のシステム。
【請求項１５】
前記第１の交換可能なカプセル及び前記第２の交換可能なカプセルは、実質的に同じ長さ対直径比を有する、請求項４又は請求項４に従属するときの請求項５から１４のいずれか一項に記載のシステム。
【請求項１６】
前記第１の淹出チャンバ部分は、前記空洞の底部にセンタリング手段を含み、前記第２の交換可能なカプセル及び任意選択的に前記第１の交換可能なカプセルは、前記第１の交換可能なカプセル及び前記第２の交換可能なカプセルを前記空洞の前記底部付近にセンタリングするために、前記センタリング手段と選択的に協働するように構成されている、請求項１から１５のいずれか一項に記載のシステム。
【請求項１７】
前記第１の淹出チャンバ部分と前記第１の交換可能なカプセルは、前記第１の交換可能なカプセルが前記フランジ状のリムによって前記空洞内でセンタリングされるように互いに適合されている、請求項２に従属するときの請求項１から１６のいずれか一項に記載のシステム。
【請求項１８】
前記第１の淹出チャンバ部分と前記第２の交換可能なカプセルは、前記第２の交換可能なカプセルを前記第１の淹出チャンバ部分内に装填するときに前記第２の交換可能なカプセルの外側部分が前記第１の淹出チャンバ部分の内周壁に係合するように互いに適合されており、前記第１の淹出チャンバ部分と前記第２の交換可能なカプセルは、前記第２の交換可能なカプセルが前記外側部分によって前記空洞内でセンタリングされるように互いに適合されている、請求項１から１７のいずれか一項に記載のシステム。
【請求項１９】
前記第１の当接面は前記空洞に階段状の形状を与える、請求項１から１８のいずれか一項に記載のシステム。
【請求項２０】
前記第２の本体は第２の底部と第２の周壁とを含む第２のカップ形状本体であり、前記第２のカップ形状本体は第２の開放端を有し、前記第２のフランジ状のリムは、第２のカップ形状本体の第２の開放端に沿って円周方向に連続して延びる、外向きに延びる第２のリムであり、前記外向きに延びる第２のリムは単一の第２の幅を実質的に有する、請求項１から１９のいずれか一項に記載のシステム。
【請求項２１】
前記第１の本体は第１の底部と第１の周壁とを含む第１のカップ形状本体であり、前記第１のカップ形状本体は第１の開放端を有し、前記第１のフランジ状のリムは、前記第１のカップ形状本体の前記第１の開放端に沿って円周方向に連続して延びる、外向きに延びる第１のリムであり、前記外向きに延びる第１のリムは単一の第１の幅を実質的に有する、請求項２又は請求項２に従属するときの請求項３から２０のいずれか一項に記載のシステム。
【請求項２２】
前記第１の幅及び前記第２の幅は同一である、請求項２１に記載のシステム。
【請求項２３】
前記第１のほぼ環状の当接面は連続して環状であり、前記第２のほぼ環状の当接面は連続して環状である、請求項１から２２のいずれか一項に記載のシステム。
【請求項２４】
所定量の消費に適した飲料を調製するための装置であって、前記装置は第２の本体及び第２のフランジ状のリムを有する第２の交換可能なカプセルを使用して所定量の消費に適した飲料を調製するように構成されており、前記装置は前記第２の交換可能なカプセルを保持するための空洞を有する淹出チャンバ部分を含み、前記淹出チャンバ部分は前記空洞内に第１の環状の当接面を有する、前記装置において、前記淹出チャンバ部分が第２の環状の当接面を有し、前記第２の当接面は前記空洞が前記第２の交換可能なカプセルを保持するときに前記第２のフランジ状のリムに対して当接するように構成されていることと、前記第２の環状の当接面の直径は前記第１の環状の当接面の直径よりも大きいことと、を特徴とする、装置。
【請求項２５】
前記装置は第１の本体及び第１のフランジ状のリムを有する第１の交換可能なカプセルを使用して所定量の消費に適した飲料を調製するように更に構成されており、前記淹出チャンバ部分の前記空洞は、前記第１の交換可能なカプセル及び前記第２の交換可能なカプセルの一方を選択的に保持するように構成された空洞であり、前記第１の当接面は前記空洞が前記第１の交換可能なカプセルを保持しているときに、前記第１のフランジ状のリムに対して当接するように構成されている、請求項２４に記載の装置。
【請求項２６】
前記第１の実質的に環状の当接面は、前記第１の淹出チャンバ部分の軸方向に、前記第２の実質的に環状の当接面から間隔を空けて配置されている、請求項２４又は２５に記載の装置。